(57)【要約】【課題】  ディジタル通信と同時にその通信相手と簡単に情報共有を行えるようにしたゲートウェイ装置および情報共有システムおよび方法を提供する。【解決手段】  ＩＰ電話機同士で音声データを転送することにより通信状態にあるネットワーク同士で音声データ以外のデータ通信を行うデータセションを確立し、情報提供元ネットワーク１０のクライアントＰＣ１３で保存された提供する情報をそのデータセションを利用して音声データの通信状態にある相手先の情報提供先ネットワーク２０に送信する。情報提供を受けた情報提供先ネットワーク２０ではその情報をプリンタ２３で印刷出力することにより情報共有を行う。【選択図】図１
2007174504.tif 000002
【特許請求の範囲】
【請求項１】
複数の地点と接続し、各地点のネットワーク間でのディジタル通信を制御するゲートウェイ装置において、
前記各地点ごとに設けられたノードとの通信を実現するための経路情報を管理する管理手段と、
前記ディジタル通信に用いられる電話機からの通話要求に対して相手先のゲートウェイ装置との通話セションを確立する通話確立手段と、
前記通話確立手段により通話セションが確立された前記相手先のゲートウェイ装置から前記ノードへのアクセス情報の要求を受け、前記管理手段で管理した経路情報に基づき該ノードへのアクセス情報を前記相手先のゲートウェイ装置に通知するアクセス情報通知手段と
前記アクセス情報通知手段で通知したノードへのアクセス要求を受けて、該ノードとの通信を前記電話機による通話とともに行う通信手段と
を具備することを特徴とするゲートウェイ装置。
【請求項２】
複数の地点と接続し、各地点のネットワーク間でのディジタル通信を制御するゲートウェイ装置において、
前記各地点ごとに設けられたノードとの通信を実現するための経路情報を管理する管理手段と、
前記ディジタル通信に用いられる電話機による相手先のゲートウェイ装置からの通話要求に対して通話セションを確立する通話確立手段と、
前記通話確立手段により通話セションが確立された前記相手先のゲートウェイ装置に、所定の情報を伝送する情報伝送手段と
を具備することを特徴とするゲートウェイ装置。
【請求項３】
複数の地点を各地点ごとに設けられたゲートウェイ装置によって接続し、該接続された前記ゲートウェイ装置を介したディジタル通信による情報の共有を行う情報共有システムにおいて、
前記ゲートウェイ装置は、
前記各地点ごとに設けられたノードとの通信を実現するための経路情報を管理する管理手段と、
前記ディジタル通信に用いられる電話機からの通話要求に対して相手先のゲートウェイ装置との通話セションを確立する通話確立手段と、
前記通話確立手段により通話セションが確立された前記相手先のゲートウェイ装置から前記ノードへのアクセス情報の要求を受け、前記管理手段で管理した経路情報に基づき該ノードへのアクセス情報を前記相手先のゲートウェイ装置に通知するアクセス情報通知手段と
を具備し、
前記相手先のゲートウェイ装置から前記アクセス情報通知手段で通知したノードへのアクセス要求を受けて、該ノードとの通信を前記電話機による通話とともに行う
ことを特徴とする情報共有システム。
【請求項４】
前記ノードは、
画像形成装置であって、
前記アクセス情報通知手段により前記画像形成装置へのアクセス情報を受けたゲートウェイ装置が設けられた地点のノードから画像形成要求を受信し、該画像形成要求に基づいて前記画像形成装置で画像形成を行う
ことを特徴とする請求項１記載の情報共有システム。
【請求項５】
前記ゲートウェイ装置は、
前記電話機を含むことを特徴とする請求項３または４記載の情報共有システム。
【請求項６】
前記ゲートウェイ装置は、
前記画像形成装置を含むことを特徴とする請求項３乃至５のいずれかに記載の情報共有システム。
【請求項７】
複数の地点と接続し、各地点のネットワーク間でのディジタル通信を制御する制御方法において、
前記各地点ごとに設けられたノードとの通信を実現するための経路情報を管理手段で管理し、
前記ディジタル通信に用いられる電話機からの通話要求に対して相手先のゲートウェイ装置との通話セションを通話確立手段で確立し、
前記通話確立手段により通話セションが確立された前記相手先のゲートウェイ装置から前記ノードへのアクセス情報の要求を受け、前記管理手段で管理した経路情報に基づき該ノードへのアクセス情報を前記相手先のゲートウェイ装置にアクセス情報通知手段で通知し、
前記アクセス情報通知手段で通知したノードへのアクセス要求を受けて、該ノードとの通信を前記電話機による通話とともに行う
ことを特徴とする制御方法。
【請求項８】
複数の地点と接続し、各地点のネットワーク間でのディジタル通信を制御する制御方法において、
前記各地点ごとに設けられたノードとの通信を実現するための経路情報を管理手段で管理し、
前記ディジタル通信に用いられる電話機による相手先のゲートウェイ装置からの通話要求に対して通話セションを通話確立手段で確立し、
前記通話確立手段により通話セションが確立された前記相手先のゲートウェイ装置に、所定の情報を伝送する
ことを特徴とする制御方法。
【請求項９】
複数の地点を各地点ごとに設けられたゲートウェイ装置によって接続し、該接続された前記ゲートウェイ装置を介したディジタル通信による情報の共有を行う情報共有システムにおける情報共有方法において、
前記各地点ごとに設けられたノードとの通信を実現するための経路情報を前記ゲートウェイ装置の管理手段で管理し、
前記ディジタル通信に用いられる電話機からの通話要求に対して相手先のゲートウェイ装置との通話セションを通話確立手段で確立し、
前記通話確立手段により通話セションが確立された前記相手先のゲートウェイ装置から前記ノードへのアクセス情報の要求を受け、前記管理手段で管理した経路情報に基づき該ノードのアクセス情報を前記相手先のゲートウェイ装置にアクセス情報通知手段で通知し、
前記相手先のゲートウェイ装置から前記アクセス情報通知手段で通知したノードへのアクセス要求を受けて、該ノードとの通信を前記電話機による通話とともに行う
ことを特徴とする情報共有方法。
【発明の詳細な説明】
【技術分野】
【０００１】
本発明は、情報を共有するゲートウェイ装置および情報共有システムおよび方法に関し、特に、ＩＰ電話による通話中に双方間で同じ情報を共有し合えるようにしたゲートウェイ装置および情報共有システムおよび方法に関する。
【背景技術】
【０００２】
一般に、電子文書などの情報を複数のユーザによって共有する場合、その共有するユーザが共通的にアクセスできる装置、例えば、文書管理サーバなどを設けて必要とする情報をユーザが取得することにより共有することができる。また、不特定多数の人に情報を提供する場合には、Ｗｅｂコンテンツを提供するＷｅｂサーバなどを立ち上げることで第三者への情報提供を行うことができる。
【０００３】
また、特定の複数のユーザ間で情報を共有する場合には、単純にその情報を送信することで共有することが一般的である。
【０００４】
情報提供を受けた被提供者（利用者）は、その提供内容を参照することによって情報共有することができるが、その提供内容に不明な点がある場合にはその提供者に対して問い合わせを行う場合がある。提供者からみた場合、特定の情報のみを提供している場合には、その情報に対する問い合わせであることが容易に判断つくが、多くの資料を提供している場合、その問い合わせ対象となる情報を特定するまでに時間を要することになる。
【０００５】
また、その問い合わせに対して情報提供者は、必要に応じて更なる情報をその問い合わせを行ってきたユーザに提供する場合がある。このような場合、その情報を取り出し、問い合わせ元のユーザに対して送信する必要がある。
【０００６】
さらに、その問い合わせに対して即座に必要とする情報を提供したい場合にはその問い合わせを常時監視する必要があるほか、その提供する情報を予め用意しておく必要がある。
【０００７】
この情報提供元と提供先とが遠距離にある場合であって提供先に接続されたプリンタに対して印刷サービスの提供若しくは要求を行えるようにした従来技術として特許文献１に開示されたものがある。
【０００８】
この特許文献１に開示された従来技術においては、ＩＰＰ（Internet Printing Protocol）でファイアウォールを越えられないプリントサーバに対してＩＰＰで通信できるプロキシ装置を設け、そのプロキシ装置にプリントサーバのサーバサイトを開設することでプリントサーバをインターネット上で公開されたＩＰＰサーバと見なし、印刷サービス要求、レスポンスをやり取りできるようにしている。
【特許文献１】特開２００３−５８４５９
【発明の開示】
【発明が解決しようとする課題】
【０００９】
しかしながら、特許文献１に示された従来技術においては、プロキシ装置を設けることでファイアウォールを越えて通信できるようにしているが、情報提供先のプリンタの詳細情報を予め知っておく必要があり、不特定多数の提供先との情報共有を行うことができないという問題がある。
【００１０】
また、この従来技術では、プロキシ装置を新たに設ける必要があるためそのシステムの構築に多くの時間と多額のコストを要することとなる。
【００１１】
そこで、本発明は、ディジタル通信と同時にその通信相手と簡単に情報共有を行えるようにしたゲートウェイ装置および情報共有システムおよび方法を提供することを目的とする。
【課題を解決するための手段】
【００１２】
上記目的を達成するため、請求項１の発明は、複数の地点と接続し、各地点のネットワーク間でのディジタル通信を制御するゲートウェイ装置において、前記各地点ごとに設けられたノードとの通信を実現するための経路情報を管理する管理手段と、前記ディジタル通信に用いられる電話機からの通話要求に対して相手先のゲートウェイ装置との通話セションを確立する通話確立手段と、前記通話確立手段により通話セションが確立された前記相手先のゲートウェイ装置から前記ノードへのアクセス情報の要求を受け、前記管理手段で管理した経路情報に基づき該ノードへのアクセス情報を前記相手先のゲートウェイ装置に通知するアクセス情報通知手段と前記アクセス情報通知手段で通知したノードへのアクセス要求を受けて、該ノードとの通信を前記電話機による通話とともに行う通信手段とを具備することを特徴とする。
【００１３】
また、請求項２の発明は、複数の地点と接続し、各地点のネットワーク間でのディジタル通信を制御するゲートウェイ装置において、前記各地点ごとに設けられたノードとの通信を実現するための経路情報を管理する管理手段と、前記ディジタル通信に用いられる電話機による相手先のゲートウェイ装置からの通話要求に対して通話セションを確立する通話確立手段と、前記通話確立手段により通話セションが確立された前記相手先のゲートウェイ装置に、所定の情報を伝送する情報伝送手段とを具備することを特徴とする。
【００１４】
また、請求項３の発明は、複数の地点を各地点ごとに設けられたゲートウェイ装置によって接続し、該接続された前記ゲートウェイ装置を介したディジタル通信による情報の共有を行う情報共有システムにおいて、前記ゲートウェイ装置は、前記各地点ごとに設けられたノードとの通信を実現するための経路情報を管理する管理手段と、前記ディジタル通信に用いられる電話機からの通話要求に対して相手先のゲートウェイ装置との通話セションを確立する通話確立手段と、前記通話確立手段により通話セションが確立された前記相手先のゲートウェイ装置から前記ノードへのアクセス情報の要求を受け、前記管理手段で管理した経路情報に基づき該ノードへのアクセス情報を前記相手先のゲートウェイ装置に通知するアクセス情報通知手段とを具備し、前記相手先のゲートウェイ装置から前記アクセス情報通知手段で通知したノードへのアクセス要求を受けて、該ノードとの通信を前記電話機による通話とともに行うことを特徴とする。
【００１５】
また、請求項４の発明は、請求項１の発明において、前記ノードは、画像形成装置であって、前記アクセス情報通知手段により前記画像形成装置へのアクセス情報を受けたゲートウェイ装置が設けられた地点のノードから画像形成要求を受信し、該画像形成要求に基づいて前記画像形成装置で画像形成を行うことを特徴とする。
【００１６】
また、請求項５の発明は、請求項３または４の発明において、前記ゲートウェイ装置は、前記電話機を含むことを特徴とする。
【００１７】
また、請求項６の発明は、請求項３乃至５のいずれかの発明において、前記ゲートウェイ装置は、前記画像形成装置を含むことを特徴とする。
【００１８】
また、請求項７の発明は、複数の地点と接続し、各地点のネットワーク間でのディジタル通信を制御する制御方法において、前記各地点ごとに設けられたノードとの通信を実現するための経路情報を管理手段で管理し、前記ディジタル通信に用いられる電話機からの通話要求に対して相手先のゲートウェイ装置との通話セションを通話確立手段で確立し、前記通話確立手段により通話セションが確立された前記相手先のゲートウェイ装置から前記ノードへのアクセス情報の要求を受け、前記管理手段で管理した経路情報に基づき該ノードへのアクセス情報を前記相手先のゲートウェイ装置にアクセス情報通知手段で通知し、前記アクセス情報通知手段で通知したノードへのアクセス要求を受けて、該ノードとの通信を前記電話機による通話とともに行うことを特徴とする。
【００１９】
また、請求項８の発明は、複数の地点と接続し、各地点のネットワーク間でのディジタル通信を制御する制御方法において、前記各地点ごとに設けられたノードとの通信を実現するための経路情報を管理手段で管理し、前記ディジタル通信に用いられる電話機による相手先のゲートウェイ装置からの通話要求に対して通話セションを通話確立手段で確立し、前記通話確立手段により通話セションが確立された前記相手先のゲートウェイ装置に、所定の情報を伝送することを特徴とする。
【００２０】
また、請求項９の発明は、複数の地点を各地点ごとに設けられたゲートウェイ装置によって接続し、該接続された前記ゲートウェイ装置を介したディジタル通信による情報の共有を行う情報共有システムにおける情報共有方法において、前記各地点ごとに設けられたノードとの通信を実現するための経路情報を前記ゲートウェイ装置の管理手段で管理し、前記ディジタル通信に用いられる電話機からの通話要求に対して相手先のゲートウェイ装置との通話セションを通話確立手段で確立し、前記通話確立手段により通話セションが確立された前記相手先のゲートウェイ装置から前記ノードへのアクセス情報の要求を受け、前記管理手段で管理した経路情報に基づき該ノードのアクセス情報を前記相手先のゲートウェイ装置にアクセス情報通知手段で通知し、前記相手先のゲートウェイ装置から前記アクセス情報通知手段で通知したノードへのアクセス要求を受けて、該ノードとの通信を前記電話機による通話とともに行うことを特徴とする。
【発明の効果】
【００２１】
本発明によれば、ＩＰ電話を用いて通信状態にある相手との間にデータ通信のセションを確立し、情報提供先のネットワークに接続された画像形成装置を識別するアドレス情報を確立したセションによって情報提供元が受信してそのアドレス情報を元に情報を転送することで、情報提供先の画像形成装置によって画像形成装置が行われるように構成したので、不特定多数のユーザとの情報共有を簡単に行うことができるようになるという効果を奏する。
【００２２】
また、情報提供先のユーザ側には、クライアントコンピュータを必要とすることなく即座に必要な情報を共有し合えるという効果をも奏する。
【発明を実施するための最良の形態】
【００２３】
以下、本発明に係わるゲートウェイ装置および情報共有システムおよび方法の一実施例を添付図面を参照して詳細に説明する。
【００２４】
なお、本願発明における情報共有システムでは、遠隔地にある地点同士を通信回線を介して接続し、双方の地点でリアルタイムに情報共有を行えるようにするのに有用であるが、これに限定されることなく、ＬＡＮなどの閉域ネットワーク内で適用することもできる。
【００２５】
また、情報提供元と上記通信回線で接続された情報提供先は複数の地点を設定することができる。
【００２６】
さらに、以下の実施例では、情報提供を受ける地点のネットワークに画像形成装置の一例としてプリンタを接続し、そのプリンタから印刷出力することにより情報共有を行うような構成にしているが、情報の提供を受けるネットワークにクライアントＰＣを接続し、そのクライアントＰＣの表示画面にデータを表示することで情報共有を行うようにしてもよい。このときの画像形成装置の他の例として、複合機やクライアントコンピュータなどを示す。
【実施例】
【００２７】
図１は、本発明に係わるゲートウェイ装置および情報共有システムおよび方法を適用して構成したネットワーク構成図である。
【００２８】
図１において、この情報共有システムは、通信回線を用いた音声通信、映像やチャットなどのブロードバンド通信に代表される通信サービスの利用により、所定のディジタルデータに対する情報をその通信サービスの通信相手と相互に共有するシステムである。このときの音声通信として、例えばＶｏＩＰ（Voice over Internet Protocol）技術を用いたＩＰ電話があり、また、ブロードバンド通信としてネットワークカメラを用いたリアルタイム動画配信やビデオチャットなどがある。
【００２９】
このような通信サービスを用いて通信状態にある相手と相互間で所定のディジタルデータに対する情報を共有する。
【００３０】
なお、以下では通信サービスとして「ＩＰ電話」を用いた場合の例を説明する。
【００３１】
この情報共有システムは、ＩＰ電話で呼を受け付けて情報提供を行う情報提供元ネットワーク１０、情報提供元ネットワーク１０へとＩＰ電話を用いて呼を発信することで情報提供を受ける情報提供先ネットワーク２０から構成され、情報提供元ネットワーク１０と接続された情報提供先ネットワーク２０は１つ以上のネットワークから構成される。
【００３２】
情報提供元ネットワーク１０と情報提供先ネットワーク２０は、通信回線によって接続されており、例えば、インターネット接続のほか、ＶＰＮ（Virtual Private Network）や広域イーサネット（登録商標）サービスに代表される公衆回線や専用線を用いて接続する。もちろん、これらのＷＡＮ（Wide Area Network）接続だけでなくＬＡＮケーブルを用いた閉域ネットワーク内の接続であってもよい。この場合、情報提供元ネットワーク１０と情報提供先ネットワーク２０とが同一のネットワーク内（ＬＡＮ内）にあることを示す。
【００３３】
情報提供元ネットワーク１０は、ゲートウェイ装置１１、ＩＰ電話機１２、クライアントＰＣ１３を具備して構成され、情報提供先ネットワーク２０は、ゲートウェイ装置２１、ＩＰ電話機２２、プリンタ２３を具備して構成される。クライアントＰＣ１３に保存された所定のディジタルデータをプリンタ２３で印刷出力することで相互に情報共有する。
【００３４】
また、各ネットワークに属するそれぞれの装置は、全てがＬＡＮケーブルによって接続されたノードであって相互通信が可能な状態にある。
【００３５】
まず、情報提供元ネットワーク１０において、ゲートウェイ装置１１は、デフォルトゲートウェイの役割を担うネットワークインターフェース装置であってルータなどによって構成される。このゲートウェイ装置１１は、接続された各ノードへの経路情報を保有し、転送するデータの種類により転送先の装置を切り替えることができる。例えば、そのデータが音声通信による音声データである場合にはＩＰ電話機１２へと転送し、ブロードバンド通信による音声データ以外の他のデータ（以下、「処理データ」という）である場合にはクライアントＰＣ１３へと転送する。それぞれの装置への振り分けは受信したデータに示されたポート番号などを元にして行う。
【００３６】
また、ＩＰ電話機１２を用いた通信相手との通信を確立するとともに終了トリガを受信するまでその通信の状態を保持する。
【００３７】
さらに、その通信ではＩＰ電話による通話セションと同時に処理データのデータセションを確立することができ、音声データに加えて処理データの通信路が確立される。すなわち、ＩＰ電話による通話セションの通信相手を処理データの通信相手と特定することで、新たにその通信先までの経路を確立する処理を行う必要がなくなる。ＩＰ電話による通信状態にあるネットワークのゲートウェイ装置同士が認識でき、そのゲートウェイ装置が記憶する経路情報に基づいて処理データの転送先が決定する。
【００３８】
このＩＰ電話を実現するＶｏＩＰ技術では、音声データを送信元ＩＰアドレス、送信先ＩＰアドレスなどの識別情報でカプセル化した音声パケットを情報提供先ネットワーク２０のＩＰ電話機２２から受信するので、ＶｏＩＰ技術を用いて通信状態にあるネットワーク同士の識別情報を特定することができる。
【００３９】
ＩＰ電話機１２は、音声をパケット化した音声データを作成し、相手先まで伝送することでＩＰ電話機を用いて音声通信を行う。もちろん、ＳＩＰ（Session Initiation Protocol）サーバなどに代表される音声データを処理する処理サーバを介して行われる（図示せず）。そして、情報提供者がＩＰ電話機１２を用いて通話中の状態でクライアントＰＣ１３を操作し、通信相手に送信する処理データを指定すると、ゲートウェイ装置１１によって通信路が確立された通信相手に対してクライアントＰＣ１３からその処理データを送信する。
【００４０】
なお、情報提供者がクライアントＰＣ１３を操作して送信する処理データを指定するのではなく、予め送信する処理データをクライアントＰＣ１３上で設定しておき、情報提供者がＩＰ電話機１２の所定のボタンを押下することによりクライアントＰＣ１３からその処理データを通信相手に送るようにすることも可能である。
【００４１】
この場合、ＩＰ電話機１２では情報提供者による所定のボタン押下を検知すると、クライアントＰＣ１３に対して処理データの送信指示を音声データの通信相手のＩＰアドレスとともに送り、これらの情報を受信したクライアントＰＣ１３が予め指定された処理データを取り出してそのＩＰアドレスで指定された相手に対して送信する。
【００４２】
クライアントＰＣ１３は、所定のアプリケーションを用いて処理データを作成し、作成した処理データを保存する。クライアントＰＣ１３にはさまざまな処理データが記憶され、ユーザがユーザインターフェースを用いて処理データを指定することでＩＰ電話を用いて通信状態にある通信相手にその指定された処理データを送信する。
【００４３】
また、クライアントＰＣ１３では、送信する処理データを予め指定しておくことができ、処理データの送信指示を受け付けることによりその処理データを取り出してその送信指示とともに受け付けたあて先の情報（ＩＰアドレス）を元に送信する。
【００４４】
次に、情報提供先ネットワーク２０において、ゲートウェイ装置２１は、情報提供元ネットワーク１０のゲートウェイ装置１１と同様、デフォルトゲートウェイの役割を行うネットワークインターフェース装置であって情報提供先ネットワーク２０内の経路情報を保有する。また、ＩＰ電話機２２による音声パケットの中継を行う。
【００４５】
さらに、ゲートウェイ装置２１は情報提供元ネットワーク２０のゲートウェイ装置１１とネゴシエーションすることにより通話セションと同時にデータセションを確立する。そのデータセションが確立された通信路によって処理データを受け付けると、保有する経路情報を参照して所定の装置にその処理データを転送する。図１に示された情報提供先ネットワーク２０では、経路情報としてプリンタ２３が示されているので、その処理データをプリンタ２３に転送する。
【００４６】
ＩＰ電話機２２は、音声をパケット化した音声パケットを作成し、ＬＡＮケーブルによって相手先まで伝送することでＩＰ電話機同士で音声通信を行う。情報提供元ネットワーク１０のＩＰ電話機１２と音声パケットを交換することで音声通信を行う。
【００４７】
プリンタ２３は、受け付けた処理データの印刷出力を行う。このときの印刷設定は、予め指定された印刷設定に基づいて行うほか処理データに含まれる印刷設定に従って印刷出力する。印刷出力された文書を被情報提供者が確認し、所定のディジタルデータに対する情報を相互間で共有することができるようになる。
【００４８】
なお、以上に示すゲートウェイ装置２１では、ＩＰアドレスにより通信相手を特定するように構成しているが、ＭＰＬＳ（Multi-Protocol Label Switching）機能を対応させることでＩＰアドレスの代わりにラベルを用いて特定することも可能であるほか、広域イーサネット（登録商標）サービスを用いて接続された地点同士の通信である場合には、ＭＡＣ（Media Access Control）アドレスを相手の識別情報として用いることも可能である。
【００４９】
このような構成により、情報提供先ネットワークにコンピュータを設けることなく、必要な情報を相互間で共有することが可能となる。
【００５０】
図１に示すネットワーク構成では、ネットワークのエッジにゲートウェイ装置（１１、２１）を設けるように構成しているが、この構成に限定されることなく、以下の図２、図３に示すようなネットワーク構成であってもよい。
【００５１】
図２に示すネットワーク構成では、ネットワークのエッジにＩＰ電話機（１２、２２）を設け、このＩＰ電話機（１２、２２）に図１に示すゲートウェイ装置（１１、２１）の機能を持たせることで実現している。
【００５２】
また、図３に示すネットワーク構成では、情報提供先ネットワーク２０のエッジにプリンタ２３を設け、このプリンタが図１に示すゲートウェイ装置（１１、２１）の機能を持つように構成している。
【００５３】
このように構成することで、簡単なネットワーク構成によって情報の共有を行うことができるようになる。
【００５４】
図４は、本発明の情報共有システムにおけるゲートウェイ装置の詳細を示すブロック図である。
【００５５】
図４に示すブロック図は、各ネットワークのエッジに設置されるゲートウェイ装置の詳細を示し、図１を例にすると情報提供元ネットワーク１０のゲートウェイ装置１１や情報提供先ネットワーク２０のゲートウェイ装置２１を示す。また、図２を例にするとＩＰ電話（１２、２２）を示し、図３を例にすると情報提供先ネットワーク２０のプリンタ２３や情報提供元ネットワーク１０のＩＰ電話１２を示す。
【００５６】
ゲートウェイ装置は、通信インターフェース４０１、制御部４０２、識別部４０３、状態確認部４０４、セション制御部４０５、記憶部４０６を具備して構成され、ネットワーク間のブリッジを行う。
【００５７】
通信インターフェース４０１は、インターネット接続、ＶＰＮ（Virtual Private Network）サービスや広域イーサネット（登録商標）サービスを実現するインターフェースである。
【００５８】
制御部４０２は、通信インターフェース４０１から受信したデータに対して制御を行う。また、内部ネットワークのＩＰ電話機で相手先のＩＰ電話機への呼出が行われると、その呼出と同時に内部ネットワークのノードに対して状態確認を行う。図１に示す構成においては、情報提供元ネットワーク１０のクライアントＰＣ１３や情報提供先ネットワーク２０のプリンタ２３に対して状態確認を行う。
【００５９】
また、この制御部４０２は、識別部４０３、状態確認部４０４、セション制御部４０５を含み、識別部４０３は、通信インターフェース４０１を介して送られてきたデータの種類を判断する。その識別部４０３でそのデータのヘッダー情報に含まれるポート番号を参照し、そのポート番号がＲＴＰ（Realtime Transport Protocol）などの音声通信に用いられるプロトコルを示す番号であると判断した場合には、制御部４０２が記憶部４０７に記憶された経路情報を参照してＩＰ電話機、または外部のネットワークにそのデータを転送する制御を行う。
【００６０】
また、送られてきたデータの種類が音声通信を示す音声データでなく処理データであると判断された場合には、制御部４０２が経路情報を参照してクライアントＰＣ、または外部のネットワークへと転送する制御を行う。
【００６１】
すなわち、外部ネットワークから内部ネットワークへのデータ転送に加えて、内部ネットワークから外部ネットワークへ、さらに内部ネットワークから内部ネットワークへ転送する際にそのデータの種類を判断して経路情報に基づいて転送先へと転送する。
【００６２】
状態確認部４０４は、ＩＰ電話機による音声通信の際に内部ネットワークに接続されたノードの状態確認を行う。図１に示す構成において情報提供元ネットワーク内部にはＩＰ電話機とクライアントＰＣの２つのノードが接続されているのでこれらのノードに対してそれぞれ状態確認を行う。また、情報提供先ネットワーク内部にはＩＰ電話機とプリンタの２つのノードが接続されているのでこれらのノードに対してそれぞれ状態確認を行う。
【００６３】
この状態確認では、ノードが通信可能な状態にあり、かつ、正常な動作状態にあるか確認する。例えば、プリンタノードへの動作確認に際し、プリンタがインクや印刷用紙切れの状態にある場合にはノードが通信可能な状態であっても正常な動作状態にないと判断する。
【００６４】
この状態確認部４０４では、接続されたノードに対して確認パケットを送信することで一定時間内に応答パケットを受信するかによって通信可能な状態にあるか確認し、また、受信した応答パケットが正常な動作状態にあるかによって正常な動作状態であるかを確認する。
【００６５】
状態確認によって正常な動作状態である場合に相互のネットワーク間で情報共有を行うことができる。
【００６６】
セション制御部４０５は、ＩＰ電話機を用いて通信状態にある相手先との間に通話セション、データセションを確立する制御を行う。音声データの通信状態にある相手との音声データから相手先を識別するＩＰアドレスなどの識別情報を取得し、その識別情報によって特定できる相手先との間に通話セションとは異なるセションＩＤを持つデータセションを確立する。
【００６７】
すなわち、ＩＰ電話を用いた音声データの通信と同時に処理データのデータ通信が可能な通信路が確立されることになる。
【００６８】
記憶部４０６は、ゲートウェイ装置の機能を実現する各種プログラムや設定情報を記憶するほか、通信インターフェース４０１を介して受信したデータの種類に応じて転送する転送先とその転送先までの転送経路を定めた経路情報を記憶する。
【００６９】
このような構成により、ゲートウェイ装置はＩＰ電話などの通信サービスの実現とともにその通信サービスの相手先との間に新たなデータ通信路を確立できる。
【００７０】
図５は、本願発明における情報共有システムの処理遷移を示すシーケンス図である。
【００７１】
図５には、図１に示すネットワーク構成における処理遷移を示している。
【００７２】
まず、被情報提供者がＩＰ電話機２２を用いて情報提供先ネットワーク２０から情報提供元ネットワーク１０のＩＰ電話機１２を呼び出す（５０１）ために情報提供先ネットワーク２０のゲートウェイ装置２１は、同一ネットワーク内に設けられたプリンタ２３の動作確認要求を送信して動作確認を行う（５０２）。これは、情報提供元ネットワーク１０から取得した情報をプリンタ２３で出力することにより相互間で情報共有を行うため、プリンタ２３が正常に稼動していることが条件となる。
【００７３】
すなわち、一定時間内に動作確認要求に対する応答がない場合や受信した応答が異常を示している場合にはプリンタ２３が正常に稼動していないと判断する。このとき、ＩＰ電話機２２の操作者に対してその旨を通知するように構成してもよい。
【００７４】
状態確認応答を受け付けた（５０３）ゲートウェイ装置２１は、プリンタ２３が正常に稼動していることを確認後、所定の音声処理サーバを経由して通信先のゲートウェイ装置１１にその呼を送信する（５０４）。呼を受信した情報提供元ネットワーク１０のゲートウェイ装置１１がＩＰ電話機１２に転送することで（５０５）ＩＰ電話機１２が呼び鈴をならして呼出が行われたことを通知する。
【００７５】
もちろん、プリンタ２３の正常動作確認を待たずして通信先に呼を送信することで、プリンタ２３が正常動作するかの如何を問わず、ＩＰ電話機を用いた音声データの通信を行うようにしてもよい。これにより、音声データが相互間で通信状態にあるが、プリンタ２３の正常動作が確認できない場合には、情報提供元からのデータセション要求に対してプリンタ２３との間にセションを確立できない旨を応答するように構成する。
【００７６】
次に、情報提供元ネットワーク１０のゲートウェイ装置１１では、ＩＰ電話機１２の呼出とともにクライアントＰＣ１３に対して接続確認要求を行う（５０６）。この接続確認要求では、呼出元の情報提供先ネットワーク２０に対して処理データを提供することができる状態であるか判断し、一定時間内に確認応答が受信できない場合や異常を示す確認応答を受信した場合にはその旨を通知するようにしてもよい。
【００７７】
正常な接続確認応答を一定時間内に受け付けた場合（５０７）には、情報提供元ネットワーク１０のＩＰ電話機１２で呼の受け取りを待ち、情報提供者が受話器を持ち上げるなどしてその呼を受けると、その呼を受け付けたことを示すＡＣＫ信号を呼出元のＩＰ電話機に通知する（５０８、５０９、５１０）。
【００７８】
このＡＣＫ信号にデータセションを示すセションＩＤを含めることで情報提供先ネットワーク２０との間でセションＩＤを共有することとなり、データセションが確立される。
【００７９】
この処理によって、ＩＰ電話機間で音声セションが確立されるとともに呼出元の情報提供先ネットワーク２０のプリンタ２３と呼出先の情報提供元ネットワーク１０のクライアントＰＣ１３との間にデータセションが確立される。もちろん、これらいずれのセションをゲートウェイ装置（１１、２１）間で確立するように構成してもよい。
【００８０】
ＩＰ電話機による通信状態が継続した状態で、情報提供者が提供する情報（処理データ）を指定する（５１１）と、指定された情報（処理データ）がゲートウェイ装置を介してデータセションが確立されたプリンタ２３に転送される（５１２、５１３）。図１でも説明したように、情報提供者が処理データを指定する操作を行うのではなく、予め転送する処理データを指定しておくように構成することもでき、この場合、呼を受けたＩＰ電話機に設けられた所定のボタンを押下することで予め指定された処理データを自動的に送信する。
【００８１】
そして、処理データを受信したプリンタ２３では、印刷出力を行い、その処理データに対する原稿を出力する（５１４）。また、印刷出力を完了すると、プリンタ２３から処理データの送信元であるクライアントＰＣ１３に対して完了通知を送信する（５１５、５１６）。
【００８２】
これによって、音声データの通信状態にあるネットワーク間で簡単に情報共有を行うことができる。
【００８３】
そして、ＩＰ電話機を用いた電話を切断する場合には受話器をおくことによって切断要求が行われ、音声データの通信状態が解除される（５１７、５１８、５１９）。（情報提供元ネットワークのＩＰ電話機の受話器を先においた場合）
このような処理遷移によって、ＩＰ電話機を用いた呼の確立によって必要とする情報の共有が簡単に行うことができるようになる。
【００８４】
以上により、本発明の情報共有システムでは、ＩＰ電話機による呼の確立と同時にデータセションの確立を行うことができる。
【００８５】
これによって、データ通信のために新たに通信経路を設定することなく自動的に処理データの通信経路が確立することができるようになる。
【００８６】
従って、本発明を適用することにより、簡単に情報の共有が行えるようになるという効果を期待できる。
【００８７】
本発明は、上記し、且つ図面に示す実施例に限定することなく、その要旨を変更しない範囲内で適宜変形して実施できるものである。
【００８８】
なお、上記実施例では、プリンタを用いて処理データを印刷出力して情報共有を行うような構成にしているが、情報提供先ネットワークにクライアントＰＣを設け、そのクライアントＰＣの表示画面にその処理データを表示することで情報共有を行うようにしてもよい。
【産業上の利用可能性】
【００８９】
本発明は、ディジタル通信状態にある通信相手との間で情報共有を行うシステムに適用可能であり、特に、その共有する情報を被提供者に印字媒体で提供できるようにするのに有用である。
【図面の簡単な説明】
【００９０】
【図１】本発明に係わるゲートウェイ装置および情報共有システムおよび方法を適用して構成したネットワーク構成図。
【図２】本発明に係わるゲートウェイ装置および情報共有システムおよび方法を適用して構成した他のネットワーク構成図。
【図３】本発明に係わるゲートウェイ装置および情報共有システムおよび方法を適用して構成した第３のネットワーク構成図。
【図４】本発明の情報共有システムにおけるゲートウェイ装置の詳細を示すブロック図。
【図５】本願発明における情報共有システムの処理の流れを示すフローチャート。
【符号の説明】
【００９１】
１０        情報提供元ネットワーク
１１        ゲートウェイ装置
１２        ＩＰ電話機
１３        クライアントＰＣ
２０        情報提供先ネットワーク
２１        ゲートウェイ装置
２２        ＩＰ電話機
２３        プリンタ
【図１】
2007174504.tif 000003
【図２】
2007174504.tif 000004
【図３】
2007174504.tif 000005
【図４】
2007174504.tif 000006
【図５】
2007174504.tif 000007